(57)【要約】少なくとも一対の陽極及び陰極プレートを有するバッファコンデンサであって、各プレートがループ電流又は電荷バッファ１０の形態であり、これは電気伝導性物質からなり、これは硬質又は軟質であってよく、平行に配置され、誘電物質１１によって互いに電気的に絶縁され、そして電気的に接合され電気閉回路を形成する。プレート１０は別のプレートの上面に平行に配置され、そして誘電物質１２の交互の層によって分離されている。
2004534398.tif 000002
【特許請求の範囲】
【請求項１】
少なくとも一対の陽極及び陰極プレートを有するバッファコンデンサ。各プレートがループ電流又は電荷バッファの形態であり、これは電気伝導性物質からなり、これは硬質又は軟質であってよく、平行に配置され、誘電物質によって互いに電気的に絶縁され、そして電気的に接合され連続的な電気閉回路を形成する。プレートは一つを別の上面に平行に配置しそして誘電物質の交互の層によって分離するか、或いは一つを別の内側に設置しそして誘電物質によって分離する。各プレートは従来又はバッファ電極又はコネクタを備えており、これは一本の電気伝導性物質からなり、その長さの一部又は全部にわたり横断部において薄くてよく、その薄い長さの一部にわたって電気的に絶縁され、残りの部分は適当な長さであり横断部を成形しており、或いは何れか一方又は各端部に電気的接続のためのアイレットを備えている。電極又はコネクタの薄い横断非絶縁部はプレートと電気的に接続され、そして残りの部分は平行に折り畳まれ、接続された部分から絶縁され、或いはプレートの周囲をプレートに電気的に接続された非絶縁部分で包含し、残りの部分をプレートから絶縁し、そして電気的に接続し、そして何れの場合も、連続電気閉回路を形成する。
【請求項２】
各ループ電流又は電荷バッファが硬質の電気伝導性物質からなり、平行に配置され、誘電物質によって互いに電気的に絶縁され、そして電気的に接合され連続的な電気閉回路を形成する請求項１記載のバッファコンデンサ。
【請求項３】
各硬質ループ電流又はチャージバッファが従来又はバッファコネクタ又は電極を備え、誘電物質の交互の層によって分離され、そして電気的にシールされた請求項１又は２記載のバッファコンデンサ。
【請求項４】
ループ電流又は電荷バッファが軟質の電気伝導性物質からなり、平行に配置され、誘電物質によって互いに電気的に絶縁され、そして電気的に接合され連続的な電気閉回路を形成する請求項１記載のバッファコンデンサ。
【請求項５】
各軟質の陽極及び陰極プレートがループ電流又は電荷バッファの形態であり、各プレートが誘電物質の交互の層によって分離され、きつく屈曲され、そして電気的にシールされた請求項１又は３記載のバッファコンデンサ。
【請求項６】
各々ループ電流又は電荷バッファの形態の少なくとも一対の陽極及び陰極プレートが硬質又は軟質の電気伝導性物質からなり、従来又はバッファ電極又はコネクタを備え、一つを別の内側に配置し、そして誘電物質により互いに電気的に絶縁した請求項１記載のバッファコンデンサ。
【請求項７】
各々ループ電流又は電荷バッファの形態の少なくとも一対の陽極及び陰極プレートが硬質の電気伝導性の物質からなり、一つを別の内側に配置し、そして電気的にシールされている請求項１又は６記載のバッファコンデンサ。
【請求項８】
各々ループ電流又は電荷バッファの形態の少なくとも一対の陽極及び陰極プレートが軟質の電気伝導性の物質からなり、一つを別の内側に配置し、きつく屈曲され、そして電気的にシールされている請求項１又は６記載のバッファコンデンサ。
【請求項９】
各プレートがバッファ電極又はコネクタを備え、これは一本の電気伝導性物質からなり、その長さの一部又は全部にわたり横断部において薄くてよく、その薄い長さの一部にわたって電気的に絶縁され、残りの部分は適当な長さであり横断部を成形しており、或いは何れか一方又は各端部に電気的接続のためのアイレットを備えている請求項１記載のバッファ電極又はコネクタ。電極又はコネクタの薄い横断非絶縁部はプレートと電気的に接続され、そして残りの部分は平行に折り畳まれ、接続された部分から絶縁され、或いはプレートの周囲をプレートに電気的に接続された非絶縁部分で包含し、残りの部分をプレートから絶縁し、そして電気的に接続し、そして何れの場合も、連続電気閉回路を形成する。
【請求項１０】
請求項１又は９記載のバッファ電極又はコネクタ。
【請求項１１】
各陽極及び陰極プレートが各プレートの各端部に従来又はバッファ電極又はコネクタを備えることにより電流又は電荷バッファを形成する硬質又は軟質の電気伝導性物質からなるか、或いは各プレートの各端部が各電流又は電荷バッファに電気的に接続される従来又はバッファ電極又はコネクタを備えた電流又は電荷バッファを備え或いは形成するバッファコンデンサ。いずれの場合にも、少なくとも一つの陽極及び一つの陰極プレートは一つを別の上面に平行に配置し誘電物質の交互の層によって分離し、そして各プレートの端部におけるコネクタを電気的に接続して連続的な電気閉回路を形成し、電気的接続に利用され得る。
【請求項１２】
各陽極及び陰極プレートが硬質の電気伝導性物質からなり、これが各プレートの各端部に従来又はバッファ電極又はコネクタを提供することにより電流又は電荷バッファを形成し、これが電気的に接合され連続的な電気閉回路を形成する請求項１１記載のバッファコンデンサ。
【請求項１３】
各陽極及び陰極プレートが硬質の電気伝導性物質からなり、これが各電流又は電荷バッファに電気的に接続された従来又はバッファ電極又はコネクタを備えた電流又は電荷バッファを各プレートの各端部に形成し或いは備えることにより電流又は電荷バッファを形成し、これが電気的に接続され連続的な電気閉回路を形成する請求項１１記載のバッファコンデンサ。
【請求項１４】
各陽極及び陰極プレートが軟質の電気伝導性物質からなり、これが各プレートの各端部に従来又はバッファ電極又はコネクタを備えることにより電流又は電荷バッファを形成し、これがきつく屈曲された後に電気的に接続され連続的な電気閉回路を形成しそして電気的にシールした、請求項１１に記載のバッファコンデンサ。
【請求項１５】
各陽極及び陰極プレートが軟質の電気伝導性物質からなり、これが各電流又は電荷バッファに電気的に接続された従来又はバッファ電極又はコネクタを備えた電流又は電荷バッファを各プレートの各端部に形成し或いは備えることにより電流又は電荷バッファを形成し、これがきつく屈曲された後に電気的に接続され連続的な電気閉回路を形成しそして電気的にシールした、請求項１１に記載のバッファコンデンサ。
【請求項１６】
添付図面の図１乃至８を参照してここに実質的に開示されるバッファコンデンサ。
【発明の詳細な説明】
【０００１】
本発明はバッファコンデンサ（ｂｕｆｆｅｒ  ｃａｐａｃｉｔｏｒ）に関するものである。
【０００２】
コンデンサは電荷を蓄えるために使用され、そうすることで陽極プレートの端部及びコンデンサ電極又はコネクタと陽極プレートとの間の接触点に電荷を集中させる。これらの集中した電荷は、最終的には蓄積し陰極プレートに漏れ、抵抗加熱を引き起こし、そしてインダクタンスを誘発し、コンデンサの性能を損なわせ、そしてコンデンサに故障をもたらし得る。
【０００３】
本発明は少なくとも一対の陽極及び陰極プレートを有するバッファコンデンサに関するものである。各プレートがループ電流又は電荷バッファ（ｌｏｏｐ  ｃｕｒｒｅｎｔ  ｏｒ  ｃｈａｒｇｅ  ｂｕｆｆｅｒ）の形態であり、これは電気伝導性物質からなり、これは硬質又は軟質であってよく、平行に配置され、誘電物質によって互いに電気的に絶縁され、そして電気的に接合され連続電気閉回路（ｃｌｏｓｅｄ  ｃｏｎｔｉｎｕｏｕｓ  ｅｌｅｃｔｒｉｃａｌ  ｌｏｏｐ）を形成し、その結果プレートの端部が排斥されるので電荷の集中が排斥される。プレートはその一つを別の上面に平行に配置し誘電物質の交互の層（ａｌｔｅｒｎａｔｅ  ｌａｙｅｒ）によって分離するか、或いは一つを別の内側に設置し誘電物質によって互いに電気的に絶縁する。各プレートは従来又はバッファ電極又はコネクタを備えており、これは一本の電気伝導性物質からなり、その長さの一部又は全部にわたり横断部（ｃｒｏｓｓ−ｓｅｃｔｉｏｎ）において薄くてよく、その薄い長さの一部にわたって電気的に絶縁され、残りの部分は適当な長さであり横断部を成形しており、或いは何れか一方又は各端部に電気的接続のためのアイレットを備えている。電極又はコネクタの薄い横断非絶縁部はプレートと電気的に接続され、そして残りの部分は平行に折り畳まれ、接続された部分から絶縁され、或いはプレートの周囲をプレートに電気的に接続された非絶縁部分で包含し、残りの部分をプレートから絶縁し、そして電気的に接続し、そして何れの場合も、連続電気閉回路を形成し、その結果プレートと電極又はコネクタとの間の接触点における電荷の集中を減少させ又は排斥する。
【０００４】
すなわち、各陽極及び陰極プレートは各プレートの各端部に従来又はバッファ電極又はコネクタを備えることにより電流又は電荷バッファを形成する硬質又は軟質の電気伝導性物質からなるか、或いは各プレートの各端部は各電流又は電荷バッファに電気的に接続される従来又はバッファ電極又はコネクタを備えた電流又は電荷バッファを備え或いは形成する。いずれの場合にも、少なくとも一つの陽極及び一つの陰極プレートは一つを別の上面に平行に配置し誘電物質の交互の層によって分離し、そして各プレートの端部におけるコネクタを電気的に接続して連続的な電気閉回路（ｃｌｏｓｅｄ  ｅｌｅｃｔｒｉｃａｌ  ｌｏｏｐ）を形成し、電気的接続に利用され得る。
【０００５】
図１から、本発明は少なくとも一対の陽極及び陰極プレートを有するバッファコンデンサに関するものである。各プレートがループ電流又は電荷バッファ１０の形態であり、これは電気伝導性物質からなり、硬質又は軟質であってよく、平行に配置され、誘電物質１１によって互いに電気的に絶縁され、そして電気的に接合され電気閉回路を形成する。プレート１０は別の上面に平行に配置され、そして誘電物質１２の交互の層によって分離され、或いは図２に示されるようにループ電流又は電荷バッファ１０は別の内側に設置され誘電物質１２によって分離される。各プレートは従来又はバッファ電極又はコネクタ１３を備え、これは図６に示すような一本の電気伝導性物質からなり、これはその長さ１９の一部又は全てにわたる薄い横断部（ｃｒｏｓｓ−ｓｅｃｔｉｏｎ）であってよく、そしてその薄い部分の一部にわたり電気的に絶縁され１８、残りの部分は適当な長さであり横断部を成形し、或いは何れか一方又は各端部に電気的接続のためのアイレット２０を備えている。図７及び図８に示すように、薄い横断非絶縁１７電極又はコネクタの一部はプレート１４に電気的に接続され、そして残りの部分は平行に折り畳まれ、接続された部分から絶縁され１８、或いはプレートの周囲をプレート１４に電気的に接続された非絶縁１７部分で包含し、残りの部分をプレートから絶縁し１８、そして電気的に接続し、そして何れの場合も、連続電気閉回路を形成する。
【０００６】
すなわち、各陽極及び陰極プレート１４が硬質又は軟質電気伝導性物質からなる図３に示すバッファコンデンサは、従来又はバッファ電極又はコネクタ１５及び１６を各プレートの端部に備えることによって電流又は電荷バッファを形成するか、或いは図４に示すように各プレートの各端部が電流又は電荷バッファ１０を備え又は形成し、従来又はバッファ電極又はコネクタ１５及び１６は各電流又は電荷バッファ１０に電気的に接続される。いずれの場合も、少なくとも一つの陽極及び陰極プレートは一つを別の上面に平行に配置し誘電物質１２の交互の層によって分離し、そして従来又はバッファ電極又はコネクタ１５及び１６は、各プレートの端部にて図５に示すように電気的に接続され連続的な電気閉回路を形成し、そしてこれは電気的接続に利用され得る。
【図面の簡単な説明】
【０００７】
【図１】バッファコンデンサを形成するよう配置された電流又は電荷バッファの形態の陽極及び陰極プレートの透視図を示すものである。
【図２】一つを別の内側に配置した電流又は電荷バッファの形態の陽極及び陰極プレートを示すものである。
【図３】各プレートの各端部に従来又はバッファ電極を備えた陽極及び陰極プレートを示すものである。
【図４】各プレートの各端部に電流又は電荷バッファを備えた陽極及び陰極プレートを示すものである。
【図５】屈曲後に接続された従来の又はバッファ電極又はコネクタを示すコンデンサの側面図を示すものである。
【図６】折り畳む前のバッファ電極又はコネクタを示すものである。
【図７】プレートに電気的に接続されたバッファ電極又はコネクタを示すものである。
【図８】プレートに電気的に接続されそしてプレートの周囲を覆った電極又はコネクタを示すものである。
【図１】
2004534398.tif 000003
【図２】
2004534398.tif 000004
【図３】
2004534398.tif 000005
【図４】
2004534398.tif 000006
【図５】
2004534398.tif 000007
【図６】
2004534398.tif 000008
【図７】
2004534398.tif 000009
【図８】
2004534398.tif 000010
【国際公開パンフレット】
2004534398.tif 000011
2004534398.tif 000012
2004534398.tif 000013
2004534398.tif 000014
2004534398.tif 000015
2004534398.tif 000016
2004534398.tif 000017
2004534398.tif 000018
2004534398.tif 000019
2004534398.tif 000020
2004534398.tif 000021
2004534398.tif 000022
2004534398.tif 000023
【国際調査報告】
2004534398.tif 000024
2004534398.tif 000025